(57)【特許請求の範囲】
【請求項１】
セフティスイッチのキー挿入口に操作キーを差し込むことにより前記セフティスイッチのスイッチ部を作動するセフティスイッチ用操作キー装置において、
ベースに水平用キー溝と、この水平用キー溝に対して直角を成す垂直用キー溝とを形成し、前記水平用キー溝及び前記垂直用キー溝のそれぞれの底部にばね収容凹部を設け、
前記操作キーを、キー本体の基部の一側縁部に垂直方向調整脚部と水平方向調整脚部とを形成し、前記水平方向調整脚部を前記キー本体の基部の面部に平行になし、前記垂直方向調整脚部を、前記キー本体の基部の面部に対して直角に屈曲して形成して構成し、
前記ばね収容凹部にばねをそれぞれ収容し、前記水平方向調整脚部を前記水平用キー溝に、前記垂直方向調整脚部を前記垂直用キー溝にそれぞれ前記ばねに当接して挿入し、前記操作キーの基部に水平方向揺動支点と垂直方向揺動支点とを設け、
前記ベースに、前記水平方向調整脚部を前記ばねに抗して押し下げる水平方向調整ねじを設けると共に、前記ベースに前記垂直方向調整脚部を前記ばねに抗して押し下げる垂直方向調整ねじを設けて、前記操作キーがその基部において前記ベースに直交する二方向に揺動可能に構成したことを特徴とするセフティスイッチ用操作キー装置。
【発明の詳細な説明】
【０００１】
【発明の属する技術分野】
本発明は、工作機械等の設備の安全柵のドア等のロックを検出するのに使用されるセフティスイッチの操作キー装置に関するものである。
【０００２】
【従来の技術】
一般に、セフティスイッチは、工作機械等の設備の安全柵の出入口に取り付けてあり、この出入口を開閉するドアにはセフティスイッチを作動させるセフティスイッチ用操作キー装置が取り付けてある。
【０００３】
このセフティスイッチ用操作キー装置Ｋは、図１４乃至図１６に示すようにベース７１を備えており、このベース７１は、その中央部にキー取付部７２を有しており、このキー取付部７２の一部には調整ねじ取付座部７３が形成してある。そして、このキー取付部７２にはベース７１の長手方向（左右方向）に沿うキー溝７４が形成してあり、このキー溝７４の底部の調整ねじ取付座部７３側にはばね収容凹部７５が形成してある。
【０００４】
操作キー７６はキー本体７６Ａを有しており、このキー本体７６Ａは、その先側に一対の側片部７７を有し且つこれらの側片部７７間に横材７７ａを渡して構成してある。そして、キー本体７６Ａの基部の右側縁部には調整脚部７８が形成してあり、この調整脚部７８は、キー本体７６Ａの基部の面部に平行であって、このキー本体７６Ａの基部の右方に突出している。
【０００５】
そして、ばね収容凹部７５にはばね７９が収容してあり、また、キー溝７４には操作キー７６の基部側が挿入してあって、基部に設けたピン孔７６ａに、ベース７１に設けた支軸７１Ａを挿通してあり、また、調整脚部７８はキー溝７４に挿入してある。
【０００６】
そして、調整ねじ取付座部７３には、そのねじ孔（図示せず）に螺合して調整ねじ７０が設けてある。この場合、調整脚部７８がばね７９により押し上げられていて、この調整脚部７８が下から調整ねじ７０の頭部７０Ａに当接している。
【０００７】
そして、調整ねじ７０を締め付けることにより、調整脚部７８をばね７９に抗して固定することで、操作キー７６を水平方向Ｘ−Ｘにおいて中立状態にすることができるし、また、調整ねじ７０を緩めて調整脚部７８をばね７９により保持させて、操作キー７６の水平方向Ｘ−Ｘの揺動を可能にすることができる。
【０００８】
また、セフティスイッチ用操作キー装置Ｋを取り付けるドアとしては、工作機械等の設備の安全柵の出入口に水平方向に直線移動するドアと、垂直支柱を中心にして水平方向に開閉するドアと、水平支柱を中心にして垂直方向に開閉するドアとがある。
【０００９】
そして、上記のように構成されたセフティスイッチ用操作キー装置Ｋは、図１７に示すように、工作機械等の設備の安全柵の出入口に設けた垂直支柱６９Ａを中心にして水平方向に開閉するドア６９に、操作キー７６を水平方向にして取り付けてある。セフティスイッチＢを安全柵側に取り付ける。
【００１０】
この状態では、ドア６９は、垂直支柱６９Ａを中心にして前後方向に揺動して安全柵の出入口を開閉するものであり、このドア６９の揺動支点Ｑからセフティスイッチ用操作キー装置Ｋまでの距離Ｌがキーロックのための回転半径である。したがって、この回転半径があるために、セフティスイッチ用キー装置Ｋにおいて、操作キー７６を水平方向に揺動させることで、この操作キー７６を容易にセフティスイッチＢのキー挿入口に挿入させる。
【００１１】
また、セフティスイッチ用操作キー装置Ｋを取り付けるドアとしては、図１８に示すように水平支柱６９Ａ−１を中心にして垂直方向Ｙ−Ｙに開閉するドア６９−１とがあるが、このドア６９−１には上記したセフティスイッチ用操作キー装置Ｋを取り付けることはできず、このドア６９−１には、専用のセフティスイッチ用操作キー装置Ｋ−１が装着される。
【００１２】
また、セフティスイッチＢにあっては、図１９の（１）に示すようにヘッド８０と、スイッチ部８１と、スイッチ部８１をオン作動状態でロックするロック部８２と、このロック部８２によるロックを解除するソレノイド８３と、ソレノイド８３によるロック解除を検出する検出スイッチ部８３−１とを備えている。
【００１３】
そして、図１９の（２）に示すように、操作キー７６の差し込みによりカム８４のロックを解除すると共に、カム８４を回転して、このカム８４に摺接する第１のプランジャ８５に連結されている第２のプランジャ８６が復帰ばね８７の付勢力よりヘッド８０側に移動して、この第２のプランジャ８６の端部の当接面８６Ａがプランジャ案内部８８より案内壁部８９内に引っ込む。
【００１４】
このようにして、第２のプランジャ８６が最大に移動した状態になって、スイッチ部８１においては、第１の可動片８７の可動接点８７ａは第１の固定端子８９の固定接点８９ａに接触して、第１のスイッチ部９０がオン作動状態になり、また、第２の可動片９１の可動接点９１ａが第２の固定端子９２の固定接点９２ａからに離れて、第２のスイッチ部９３がオフ作動状態になり、スイッチ部８１が作動したことが確認される。
【００１５】
この場合、ロック部８２の第３のプランジャ９６が復帰ばね９７の付勢力により前進して、この第３のプランジャ９６が第２のプランジャ８６の端部の当接面８６Ａに当接して、スイッチ部８１をオン作動状態でロックする。
【００１６】
そして、図１９の（３）に示すようにソレノイド８３に通電して鉄芯部材８３ａに連結された第４のプランジャ９４を引き込み、レバー９５をその回動中心Ｐで回転させて第３のプランジャ９６を復帰ばね９７に抗して移動させることにより、第２のプランジャ８６の端部の当接面８６Ａから第３のプランジャ９６を外し、スイッチ部８１のロックを解除する。
【００１７】
この場合、第４のプランジャ９４の移動により、検出スイッチ部８３−１において、可動片９８の両端部の可動接点９８ａが固定端子９９の固定接点９９ａから離れてスイッチオフの状態になる。したがって、検出スイッチ部８３−１がスイッチオフの状態になるために、ソレノイド８３によるロック解除を検出する。
【００１８】
また、スイッチ部８１をオフ作動させるには、前記操作キー７６を引き抜くことにより行われる。すなわち、操作キー７６を引き抜くことにより、操作キー７６の横材７７ａでカム８４を引き倒して、このカム８４を逆回転させる。このカム８４の逆回転により、このカム８４に摺接している第１のプランジャ８５に連結されている第２のプランジャ８６が復帰ばね８７に抗してヘッド８０側とは反対側に移動して、この第２のプランジャ８６の端部の当接面８６Ａがプランジャ案内部８８に突出する。
【００１９】
このためには、スイッチ部８１においては、第１の可動片８７の可動接点８７ａは第１の固定端子８９の固定接点８９ａに離れて、第１のスイッチ部９０がオフ作動状態になり、また、第２の可動片９１の可動接点９１ａが第２の固定端子９２の固定接点９２ａに接触して、第２のスイッチ部９３がオン作動状態になる。
【００２０】
【発明が解決しようとする課題】
しかしながら、上記した従来のセフティスイッチ用操作キー装置にあっては、工作機械等の設備の安全柵の出入口に設けた垂直支柱６９Ａを中心にして水平方向に開閉するドア６９に、操作キー７６を水平方向にして取り付けるだけであって、水平支柱６９Ａ−１を中心にして垂直方向に開閉するドア６９−１には上記したセフティスイッチ用操作キー装置Ｋを取り付けることはできないという問題点があった。
【００２１】
本発明は、上記の問題点に着目して成されたものであって、その目的とするところは、一構成部品でありながら開閉方向の異なるドアに適用することができるセフティスイッチ用操作キー装置を提供することにある。
【００２３】
【課題を解決するための手段】
上記の目的を達成するために、本発明に係るセフティスイッチ用操作キー装置は、セフティスイッチのキー挿入口に操作キーを差し込むことにより前記セフティスイッチのスイッチ部を作動するセフティスイッチ用操作キー装置において、ベースに水平用キー溝と、この水平用キー溝に対して直角を成す垂直用キー溝とを形成し、前記水平用キー溝及び前記垂直用キー溝のそれぞれの底部にばね収容凹部を設け、操作キーを、キー本体の基部の一側縁部に垂直方向調整脚部と水平方向調整脚部とを形成し、前記水平方向調整脚部を前記キー本体の基部の面部に平行になし、前記垂直方向調整脚部を、前記キー本体の基部の面部に対して直角に屈曲して形成して構成し、前記ばね収容凹部にばねをそれぞれ収容し、前記水平方向調整脚部を前記水平用キー溝に、前記垂直方向調整脚部を前記垂直用キー溝にそれぞれ前記ばねに当接して挿入し、前記操作キーの基部に水平方向揺動支点と垂直方向揺動支点とを設け、前記ベースに、前記水平方向調整脚部を前記ばねに抗して押し下げる水平方向調整ねじを設けると共に、前記ベースに前記垂直方向調整脚部を前記ばねに抗して押し下げる垂直方向調整ねじを設けて、前記操作キーがその基部において前記ベースに直交する二方向に揺動可能に構成したことを特徴とする。
【００２４】
かかる構成により、水平方向調整ねじ及び垂直方向調整ねじを共に締め付けることにより、水平方向調整脚部及び垂直方向調整脚部をばねに抗して固定することで、操作キーを水平方向及び垂直方向において中立状態にすることができるし、また、水平方向調整ねじを緩めて水平方向調整脚部をばねにより保持させ、垂直方向調整ねじを締め付けることにより垂直方向調整脚部を固定状態することで、操作キーの水平方向の揺動を可能にすることができる。また、垂直方向調整ねじを緩めて垂直方向調整脚部をばねにより保持させ、水平方向調整ねじを締め付けることにより水平方向調整脚部を固定状態することで、操作キーの垂直方向の揺動を可能にすることができる。
【００２５】
したがって、水平方向に直線移動するドアには、操作キーを水平方向及び垂直方向において中立状態にしたセフティスイッチ用操作キー装置を適用することができるし、また、水平方向に開閉するドアには、操作キーの水平方向の揺動を可能にしたセフティスイッチ用操作キー装置を適用することができるし、垂直方向に開閉するドアには、操作キーの垂直方向の揺動を可能にしたセフティスイッチ用操作キー装置を適用することができる。
【００２６】
また、水平方向に開閉するドアには、操作キーを、直交する二方向のうち一方向（水平方向）の揺動を可能にしたセフティスイッチ用操作キー装置を適用することができるし、垂直方向に開閉するドアには、直交する二方向のうち他方向  （垂直方向）の揺動を可能にしたセフティスイッチ用操作キー装置を適用することができる。
【００２７】
このように、一つのセフティスイッチ用操作キー装置でありながら、移動及び開閉方向の異なるドアに適用することができる。
【００４０】
【発明の実施の形態】
以下、本発明の実施の形態を図面に基づいて説明する。
図１は本発明に係るセフティスイッチ用操作キー装置の平面図、図２は図１のＣ−Ｃ線に沿う断面図、図３は図１のＤ−Ｄ線に沿う断面図である。
【００４１】
本発明に係るセフティスイッチ用キー装置Ａはベース１を備えており、このベース１は、その中央部にキー取付部２を有しており、このキー取付部２の左側部はキー溝形成部３にしてあり、また、キー取付部２の右側部には、その前部に位置させて水平方向調整ねじ取付座部４Ａが、その後部に位置させて垂直方向調整ねじ取付座部４Ｂがそれぞれ形成してある。そして、キー溝形成部３の平坦な頂部３Ａから水平方向調整ねじ取付座部４Ａにかけてベース１の長手方向（左右方向）に沿う水平用キー溝５が形成してあり、この水平用キー溝５のキー溝形成部３に跨がる溝部分５Ａの端壁部６は傾斜面にしてあり、また、溝部分５Ａの前壁部７も傾斜面にしてある。また、水平用キー溝５の水平方向調整ねじ取付座部４Ａに跨がる溝部分５Ｂの底部にはばね収容凹部８が形成してある。
【００４２】
前記垂直方向調整ねじ取付座部４Ｂには、前記水平用キー溝５に対して直角を成す垂直用キー溝９が形成してあり、この垂直用キー溝９の底部にはばね収容凹部１０が形成してある。そして、水平方向調整ねじ取付座部４にはねじ孔１１が、垂直方向調整ねじ取付座部４Ｂにはねじ孔１２がそれぞれ形成してある。そして、水平用キー溝５と垂直用キー溝９とでキー溝Ｆを構成している。また、ベース１のキー取付部２を挟んだ左右には取付孔１Ａが形成してある。
【００４３】
操作キー１３はキー本体１３Ａを有しており、このキー本体１３Ａは、その先側に一対の側片部１４を有し且つこれらの側片部１４間に横材１５を渡して構成してある。そして、キー本体１３Ａの基部１３ａには支軸孔１６が形成してある。また、キー本体１３Ａの基部の右側縁部には垂直方向調整脚部１７と水平方向調整脚部１８とが上下に形成してあり、この水平方向調整脚部１８は、キー本体１３Ａの基部の面部に平行であって、このキー本体１３Ａの基部の右方に突出している。また、垂直方向調整脚部１７は、キー本体１３Ａの基部の面部に対して直角方向で後方に突出している。
【００４４】
そして、ばね収容凹部８にはばね１９が、ばね収容凹部１０にはばね２０がそれぞれ収容してあり、また、キー溝Ｆには操作キー１３の基部１３ａ側が挿入してあって、基部１３ａに設けた支軸孔１６に、ベース１に設けた支軸２１を挿通してあり、また、水平方向調整脚部１８は水平用キー溝５の溝部分５Ｂに、垂直方向調整脚部１７は垂直用キー溝９にそれぞれ挿入してある。
【００４５】
そして、水平方向調整ねじ取付座部４Ａには、そのねじ孔１１に螺合して水平方向調整ねじ２２が、垂直方向調整ねじ取付座部４Ｂには、そのねじ孔１２に螺合して垂直方向調整ねじ２３がそれぞれ設けてある。この場合、水平方向調整脚部１８がばね１９により押し上げられていて、この水平方向調整脚部１８が下から水平方向調整ねじ２２の頭部２２Ａに当接しており、また、垂直方向調整脚部１７がばね１９により押し上げられていて、この垂直方向調整脚部１７が下から垂直方向調整ねじ２３の頭部２３Ａに当接している。
【００４６】
そして、一方の揺動調整手段が、一方の調整脚部である水平方向調整脚部１８を押し上げる弾性部材であるばね１９と、一方の調整部材である水平方向調整ねじ２２とで構成してあり、他方の揺動調整手段が、他方の調整脚部である垂直方向調整脚部１７を押し上げる弾性部材であるばね２０と、他方の調整部材である垂直方向調整ねじ２３とで構成してある。
【００４７】
したがって、水平方向調整ねじ２２及び垂直方向調整ねじ２３をそれぞれに最大に緩めた場合には、図４の（１）、（２）、（３）に示すように、水平方向調整脚部１８がばね１９により押し上げられ、また、垂直方向調整脚部１７がばね１９により押し上げられて、操作キー１３は水平方向Ｘ−Ｘであって左方向に、その水平方向揺動支点Ｓである支軸２１を中心にして揺動して、操作キー１３の左の側片部１４が、水平用キー溝５の溝部分５Ａの傾斜した端壁部６に当接し、その傾き角度θは約１５度である。また、操作キー１３は垂直方向Ｙ−Ｙであって下方向に、支軸２１を通る垂直方向揺動支点Ｐを中心にして揺動して、操作キー１３が、水平用キー溝５の溝部分５Ａの傾斜した前壁部７に当接し、その傾き角度θ´は約１５度である。
【００４８】
そして、水平方向調整ねじ２２及び垂直方向調整ねじ２３をそれぞれに最大に締めた場合には、図５の（１）、（２）、（３）に示すように、水平方向調整ねじ２２により水平方向調整脚部１８がばね１９に抗して水平用キー溝５の底部に押し付けられ、また、垂直方向調整ねじ２３により垂直方向調整脚部１７がばね２０に抗して垂直用キー溝９の底部に押し付けられ、操作キー１３は水平方向Ｘ−Ｘであって左方向に振れることなく中立状態になり、その傾き角度θは０度である。また、操作キー１３は垂直方向Ｙ−Ｙであって下方向に振れることなく中立状態になり、その傾き角度θは０度である。
【００４９】
工作機械等の設備の安全柵の出入口に、図８に示すように垂直支柱３０を中心にして前後方向に揺動するドア３１に、本発明のセフティスイッチ用キー装置Ａを、その操作キー１３が水平になるようにしてベース１の取付孔１Ａを利用して取り付ける。セフティスイッチＢを安全柵側に取り付ける。
【００５０】
この状態では、ドア３１は、垂直支柱３０を中心にして前後方向に揺動して安全柵の出入口を開閉するものであり、このドア３１の揺動支点Ｒからセフティスイッチ用キー装置Ａまでの距離Ｌ１がキーロックのための回転半径である。したがって、この回転半径があるために、セフティスイッチ用キー装置Ａにおいて、操作キー１３を水平方向に揺動させることで、この操作キー１３が容易にセフティスイッチのキー挿入口に挿入させることが可能である。
【００５１】
このセフティスイッチ用キー装置Ａにおいて、操作キー１３を水平方向に揺動させるには、図６の（１）、（２）、（３）に示すように、水平方向調整ねじ２２を緩めて、水平方向調整脚部１８をばね１９により押し上げ、操作キー１３を水平方向Ｘ−Ｘに、その水平方向揺動支点Ｓである支軸２１を中心にして揺動可能にする。この揺動範囲は約１５度である。
【００５２】
また、工作機械等の設備の安全柵の出入口に、図９に示すように水平支柱４０を中心にして前後方向に揺動するドア４１に、本発明のセフティスイッチ用キー装置Ａを、その操作キー１３が水平になるようにしてベース１の取付孔１Ａを利用して取り付ける。セフティスイッチＢを安全柵側に取り付ける。
【００５３】
この状態では、ドア４１は、水平支柱４０を中心にして前後方向に揺動して安全柵の出入口を開閉するものであり、このドア４１の揺動支点Ｔからセフティスイッチ用キー装置Ａまでの距離Ｌ２がキーロックのための回転半径である。したがって、この回転半径があるために、セフティスイッチ用キー装置Ａにおいて、操作キー１３を上下方向に揺動させることで、この操作キー１３が容易にセフティスイッチのキー挿入口に挿入させることが可能である。
【００５４】
このセフティスイッチ用キー装置Ａにおいて、操作キー１３を上下方向に揺動させるには、図７の（１）、（２）、（３）に示すように、水平方向調整ねじ２２を締めた状態で垂直方向調整ねじ２３を緩めて、垂直方向調整脚部１７をばね２０により押し上げ、操作キー１３を垂直方向Ｙ−Ｙに、その垂直方向揺動支点Ｐを中心にして揺動可能にする。この揺動範囲は約１５度である。
【００５５】
また、工作機械等の設備の安全柵の出入口に、図１０に示すように左右方向に進退するドア５１に、本発明のセフティスイッチ用キー装置Ａを、その操作キー１３が垂直になるようにしてベース１の取付孔１Ａを利用して取り付ける。セフティスイッチＢを安全柵側に取り付ける。
【００５６】
この場合には、水平方向調整ねじ２２及び垂直方向調整ねじ２３をそれぞれに最大に締め、図５の（１）、（２）、（３）に示すように、水平方向調整ねじ２２により水平方向調整脚部１８をばね１９に抗して水平用キー溝５の底部に押し付け、また、垂直方向調整ねじ２３により垂直方向調整脚部１７をばね２０に抗して垂直用キー溝９の底部に押し付けて、操作キー１３を水平方向Ｘ−Ｘ及び垂直方向Ｙ−Ｙに対して傾けることなく中立状態にする。
【００５７】
したがって、上記した実施の形態例１によれば、水平方向調整ねじ２２及び垂直方向調整ねじ２３を共に締め付けることにより、水平方向調整脚部１８及び垂直方向調整脚部１７をばね１９，２０に抗して固定することで、操作キー１３を水平方向Ｘ−Ｘ及び垂直方向Ｙ−Ｙにおいて中立状態にすることができるし、また、水平方向調整ねじ２２を緩めて水平方向調整脚部１８をばね１９により保持させ、垂直方向調整ねじ２３を締め付けることにより垂直方向調整脚部１７を固定状態することで、操作キー１３の水平方向Ｘ−Ｘの揺動を可能にすることができる。また、垂直方向調整ねじ２３を緩めて垂直方向調整脚部１７をばね２０により保持させ、水平方向調整ねじ２２を締め付けることにより水平方向調整脚部１８を固定状態することで、操作キー１３の垂直方向Ｙ−Ｙの揺動を可能にすることができる。
【００５８】
したがって、水平方向Ｘ−Ｘに直線移動するドア５１には、操作キー１７を水平方向Ｘ−Ｘ及び垂直方向Ｙ−Ｙにおいて中立状態にしたセフティスイッチ用操作キー装置Ａを適用することができるし、また、水平方向Ｘ−Ｘに開閉するドア３１には、操作キー１３の水平方向Ｘ−Ｘの揺動を可能にしたセフティスイッチ用操作キー装置Ａを適用することができるし、垂直方向Ｙ−Ｙに開閉するドア４１には、操作キー１３の垂直方向Ｙ−Ｙの揺動を可能にしたセフティスイッチ用操作キー装置Ａを適用することができる。
【００５９】
このように、一つのセフティスイッチ用操作キー装置Ａでありながら、移動及び開閉方向の異なるドア５１、４１、３１に適用することができる。
【００６０】
（実施の形態例２）
また、本発明のセフティスイッチ用操作キー装置の実施の形態例２を図１１乃至図１３に示す。このセフティスイッチ用操作キー装置Ａはベース６０を備えており、このベース６０は金属性の板材をプレス加工により折り曲げて形成してあり、ベース本体６０Ａの両端側には面部６０ａに対して直角に折り曲げてねじ座部６１が形成してあり、また、ベース本体６０Ａの左、右側には面部６０ａに対して直角に折り曲げて支持部６２が形成してあり、また、ベース本体６０Ａの左、右側には、取付孔６４を有する取付部６３が形成してある。そして、一方のねじ座部６１にはねじ孔６５が形成してあって、このねじ孔６５には揺動調整手段としての調整ねじ６６が螺合している。
【００６１】
操作キー６７は、ベース６０と同様に金属性の板材をプレス加工により折り曲げて形成してあり、その先側に一対の側片部６８を有しており、これらの側片部６８間には横材６９が渡してあり、操作キー６７の基部６７Ａの左右側には、面部に対して直角に折り曲げて取付片部７０が形成してあり、この取付片部７０には軸孔７１が形成してある。
【００６２】
そして、ベース６０には、一対の支持部６２間に取付片部７０を挿入して、支持部６２の取付孔６４及び取付片部７０の軸孔（図示せず）に支軸７２を挿通して操作キー６７が取り付けてあり、操作キー６７は支軸７２を揺動支点として垂直方向に揺動可能である。そして、支軸７２には弾性付勢手段としてのねじりコイルばね７３が取り付けてあって、このねじりコイルばね７３の一端部７３ａはベース６０の面部に当接しており、ねじりコイルばね７３の他端部７３ｂは操作キー６７の基部に当接している。そして、操作キー６７は、ねじりコイルばね７３の付勢力により調整ねじ６６側に傾いていて、この調整ねじ６６の端部に当接している。
【００６３】
工作機械等の設備の安全柵の出入口に、図９に示すように水平支柱３５を中心にして前後方向に揺動するドア３６に、本発明のセフティスイッチ用キー装置Ａを、その操作キー６７が水平になるようにしてベース６０の取付部６３を利用して取り付ける。セフティスイッチＢを安全柵側に取り付ける。
【００６４】
この状態では、ドア３６は、水平支柱３５を中心にして前後方向に揺動して安全柵の出入口を開閉するものであり、このドア３６の揺動支点Ｔからセフティスイッチ用キー装置Ａまでの距離Ｌ２がキーロックのための回転半径である。したがって、この回転半径があるために、セフティスイッチ用キー装置Ａにおいて、操作キー６７を垂直方向に揺動させることで、この操作キー６７が容易にセフティスイッチＢのキー挿入口に挿入させることが可能である。
【００６５】
【発明の効果】
以上説明したように、本発明に係るセフティスイッチ用操作キー装置によれば、一方及び他方の揺動調整手段を操作して操作キーを直交する二方向において中立状態にすることができるし、また、一方の揺動調整手段を操作して操作キーを直交する二方向のうち一方向の揺動を可能にし、また、他方の揺動調整手段を操作して操作キーを中立状態にすることができるし、また、一方の揺動調整手段を操作して操作キーを中立状態にして、また、他方の揺動調整手段を操作して操作キーを直交する二方向のうち他方向の揺動を可能にすることができる。
【００６６】
また、例えば、工作機械等の設備の安全柵の出入口に水平方向に直線移動するドアと、垂直支柱を中心にして水平方向に開閉するドアと、水平支柱を中心にして垂直方向に開閉するドアとがあるが、水平方向に直線移動するドアには、上記したように一方及び他方の揺動調整手段を操作して操作キーを直交する二方向において中立状態にしたセフティスイッチ用操作キー装置を適用することができる。
【００６７】
また、水平方向に開閉するドアには、操作キーを、直交する二方向のうち一方向（水平方向）の揺動を可能にしたセフティスイッチ用操作キー装置を適用することができるし、垂直方向に開閉するドアには、直交する二方向のうち他方向  （垂直方向）の揺動を可能にしたセフティスイッチ用操作キー装置を適用することができる。
【００６８】
このように、一つのセフティスイッチ用操作キー装置でありながら、移動及び開閉方向の異なるドアに適用することができる。
【図面の簡単な説明】
【図１】本発明に係るセフティスイッチ用操作キー装置（実施の形態例１）の平面図である。
【図２】図１のＣ−Ｃ線に沿う断面図である。
【図３】図１のＤ−Ｄ線に沿う断面図である。
【図４】（１）は操作キーが水平方向及び垂直方向に自由状態になった場合のセフティスイッチ用操作キー装置の平面図である。
（２）は同セフティスイッチ用操作キー装置の縦断面図である。
（３）は同セフティスイッチ用操作キー装置の横断面図である。
【図５】（１）は操作キーが水平方向及び垂直方向に中立状態になった場合のセフティスイッチ用操作キー装置の平面図である。
（２）は同セフティスイッチ用操作キー装置の縦断面図である。
（３）は同セフティスイッチ用操作キー装置の横断面図である。
【図６】（１）は操作キーが水平方向にのみ方向に自由状態になった場合のセフティスイッチ用操作キー装置の平面図である。
（２）は同セフティスイッチ用操作キー装置の縦断面図である。
（３）は同セフティスイッチ用操作キー装置の横断面図である。
【図７】（１）は操作キーが垂直方向にのみ方向に自由状態になった場合のセフティスイッチ用操作キー装置の平面図である。
（２）は同セフティスイッチ用操作キー装置の縦断面図である。
（３）は同セフティスイッチ用操作キー装置の横断面図である。
【図８】水平方向に開閉するドアに本発明のセフティスイッチ用操作キー装置を装着した状態の斜視図である。
【図９】垂直方向に開閉するドアに本発明のセフティスイッチ用操作キー装置を装着した状態の斜視図である。
【図１０】直線移動するドアに本発明のセフティスイッチ用操作キー装置を装着した状態の斜視図である。
【図１１】本発明に係るセフティスイッチ用操作キー装置（実施の形態例２）の平面図である。
【図１２】同セフティスイッチ用操作キー装置（実施の形態例２）の正面図である。
【図１３】同セフティスイッチ用操作キー装置（実施の形態例２）の側面図である。
【図１４】従来のセフティスイッチ用操作キー装置の平面図である。
【図１５】図１４のＧ−Ｇ線に沿う断面図である。
【図１６】図１４のＨ−Ｈ線に沿う断面図である。
【図１７】水平方向に開閉するドアに従来のセフティスイッチ用操作キー装置を装着した状態の斜視図である。
【図１８】垂直方向に開閉するドアにセフティスイッチ用操作キー装置を装着した状態の斜視図である。
【図１９】（１）〜（３）はセフティスイッチの作動説明図である。
【符号の説明】
１  ベース
５  水平用キー溝
９  垂直用キー溝
１３  操作キー
１３ａ  キー本体
１７  垂直方向調整脚部（他方の調整脚部）（他方の揺動調整手段）
１８  水平方向調整脚部（一方の調整脚部）（一方の揺動調整手段）
１９  ばね（弾性部材）
２０  ばね（弾性部材）
２２  水平方向調整ねじ（一方の調整部材）
２３  垂直方向調整ねじ（他方の調整部材）
【図１】
0003826391.tif 000002
【図２】
0003826391.tif 000003
【図３】
0003826391.tif 000004
【図４】
0003826391.tif 000005
【図５】
0003826391.tif 000006
【図６】
0003826391.tif 000007
【図７】
0003826391.tif 000008
【図８】
0003826391.tif 000009
【図９】
0003826391.tif 000010
【図１０】
0003826391.tif 000011
【図１１】
0003826391.tif 000012
【図１２】
0003826391.tif 000013
【図１３】
0003826391.tif 000014
【図１４】
0003826391.tif 000015
【図１５】
0003826391.tif 000016
【図１６】
0003826391.tif 000017
【図１７】
0003826391.tif 000018
【図１８】
0003826391.tif 000019
【図１９】
0003826391.tif 000020